(57)【要約】【課題】  製本処理を実行する場合に、ユーザは、製本された出力結果のうち、表示されている出力結果で示されるページの詳細情報を確認する。【解決手段】出力シートに製本処理を行う後処理装置を接続可能な画像処理装置であって、画像データおよび当該画像データに設定される後処理設定に関わる詳細情報を記憶する記憶手段と、前記記憶手段に記憶された各頁の画像データと、前記後処理設定を反映した各頁の出力結果と、当該出力結果に対応する各頁の前記詳細情報とを一覧でプレビューする表示制御手段とを備えることを特徴とする。【選択図】  図９
2012015846.tif 000002
【特許請求の範囲】
【請求項１】
出力シートに後処理を行う後処理装置を接続可能な画像処理装置であって、
画像データおよび当該画像データに設定される後処理設定に関わる詳細情報を記憶する記憶手段と、
前記記憶手段に記憶された各頁の画像データと、前記後処理設定を反映した各頁の出力結果と、当該出力結果に対応する各頁の前記詳細情報とを一覧でプレビューする表示制御手段と、
を備えることを特徴とする画像処理装置。
【請求項２】
前記表示制御手段によりプレビューされた前記画像データに設定された後処理設定値の変更を受け付ける受付手段を備え、
前記表示制御手段は、前記受付手段が受け付けた前記後処理設定値に従って一覧表示中の各頁の出力結果と、対応する各頁の詳細情報とを更新することを特徴とする請求項１記載の画像処理装置。
【請求項３】
前記記憶手段は、後処理の可否と、後処理に対してユーザが設定する設定値とを対応づけて前記詳細情報を記憶することを特徴とする請求項１又は２記載の画像処理装置。
【請求項４】
出力シートに後処理を行う後処理装置を接続可能な画像処理装置における表示制御方法であって、
画像データおよび当該画像データに設定される後処理設定に関わる詳細情報を記憶手段に記憶する記憶工程と、
前記記憶手段に記憶された各頁の画像データと、前記後処理設定を反映した各頁の出力結果と、当該出力結果に対応する各頁の前記詳細情報とを一覧でプレビューする表示制御工程を備えることを特徴とする表示制御方法。
【請求項５】
前記表示制御工程によりプレビューされた前記画像データに設定された後処理設定値の変更を受け付ける受付工程を備え、
前記表示制御工程は、前記受付工程が受け付けた前記後処理設定値に従って一覧表示中の各頁の出力結果と、対応する各頁の詳細情報とを更新することを特徴とする請求項４記載の表示制御方法。
【請求項６】
請求項５に記載の表示制御方法をコンピュータに実行させることを特徴とするプログラム。
【発明の詳細な説明】
【技術分野】
【０００１】
本発明は、印刷物の出力結果をプレビューする画像処理装置および表示制御方法及びプログラムに関するものである。 
【背景技術】
【０００２】
従来、複写機等の画像処理装置は、スキャナによって読み取った画像データや、外部から受信した画像データを記憶するメモリを有し、メモリ中に画像データを蓄積することができる。
このような画像処理装置を使用して画像データを出力する場合、画像データを出力する前に、出力結果をユーザインタフェース上に表示するプレビュー機能を持つものがある。
また、近年、製本処理、断裁処理、折り処理などの多岐にわたる後処理や、ページ印字、部数印字、地紋印字などの原稿には存在しない画像を付加する画像処理装置が、ＰＯＤセンターやオフィス等で用いられるようになってきている。
このように製本処理が実行された出力結果をプレビュー表示する方法もある（特許文献１参照）。
【先行技術文献】
【特許文献】
【０００３】
【特許文献１】特開２００６−２０９３９８号公報
【発明の概要】
【発明が解決しようとする課題】
【０００４】
しかしながら、従来、製本処理や、製本された出力結果の一部のページしか表示されず、また、各ページの断裁位置や綴じ代等の詳細情報を視覚的に確認することができない。
例えば、現在表示されているページは、どの位置で断裁されるか、あるいはどの位置に綴じ代があるか等を視覚的に把握することが難しい。
本発明は、このような課題に鑑みてなされたものであり、製本処理を実行する場合に、ユーザは、製本された出力結果のうち、表示されている出力結果で示されるページの詳細情報を確認する仕組みを提供することを目的とする。
【課題を解決するための手段】
【０００５】
上記目的を達成する本発明の画像処理装置は以下に示す構成を備える。
出力シートに後処理を行う後処理装置を接続可能な画像処理装置であって、画像データおよび当該画像データに設定される後処理設定に関わる詳細情報を記憶する記憶手段と、前記記憶手段に記憶された各頁の画像データと、前記後処理設定を反映した各頁の出力結果と、当該出力結果に対応する各頁の前記詳細情報とを一覧でプレビューする表示制御手段とを備えることを特徴とする。
【発明の効果】
【０００６】
本発明によれば、製本処理を実行する場合に、ユーザは、製本された出力結果のうち、表示されている出力結果で示されるページの詳細情報を確認することができる。
【図面の簡単な説明】
【０００７】
【図１】画像処理装置の構成を示す図である。
【図２】図１に示したコントローラのハードウエア構成を示す図である。
【図３】本実施形態を示す画像処理装置の外観を示す斜視図である。
【図４】図３に示した操作部の構成を示す平面図である。
【図５】図４に示した液晶表示部に表示される操作画面を示す図である。
【図６】図５に示した印刷データ選択設定画面の詳細画面を示す図である。
【図７】図５に示した詳細プレビュー画面の動作を説明するための図である。
【図８】図５に示した画像データ表示画面の詳細を示す図である。
【図９】画像処理装置のデータ処理例を説明するフローチャートである。
【図１０】印刷データ選択設定画面で選択される画像データを示す図である。
【図１１】ＤＩＳＫで管理される画像データの設定情報を示す図である。
【図１２】画像処理装置のデータ処理例を説明するフローチャートである。
【図１３】画像処理装置のデータ処理例を説明するフローチャートである。
【図１４】画像処理装置のデータ処理例を説明するフローチャートである。
【図１５】図４に示した液晶表示部に表示される操作画面を示す図である。
【図１６】図４に示した液晶表示部に表示される操作画面を示す図である。
【図１７】画像処理装置のデータ処理例を説明するフローチャートである。
【発明を実施するための形態】
【０００８】
次に本発明を実施するための最良の形態について図面を参照して説明する。
〔第１実施形態〕
図１は、本発明の実施形態を示す画像処理装置の構成を説明するブロック図である。本例は、画像処理装置の一例として多機能周辺機器（ＭＦＰ：Ｍｕｌｔｉ−Ｆｕｎｃｔｉｏｎ  Ｐｅｒｉｐｈｅｒａｌ）の構成例を示す。
図１において、１０１は多機能周辺機器を制御するためのコントローラであり、図２に示すハードウエア構成を有している。１０２はスキャナであり、コントローラ１０１によって制御されている。
１０３はプリンタエンジンであり、コントローラ１０１によって制御されている。なお、本画像処理装置は、フィニッシャ１０４を接続可能に構成されている。また、後処理装置として機能するフィニッシャ１０４はプリンタエンジン１０３から出力された複数の記録媒体（例えば出力シート）をまとめてステイプル（登録商標：ホッチキス）処理することが可能となっている。なお、フィニッシャ１０４は通信によりコントローラ１０１によって制御されている。また、フィニッシャ１０４は印刷されて出力される出力シートに、応用モードで後処理設定可能な後処理を実行する。
【０００９】
１０５はネットワーク（登録商標：イーサネット（登録商標））インタフェースであり、コントローラ１０１に対して同インタフェースを通した双方向通信を提供している。
１０６は操作部であり、ＬＣＤディスプレイ（表示部）とキーボードから構成されており、コントローラ１０１からの情報表示を行うとともにユーザからの指示をコントローラ１０１に伝える。また、情報処理装置は、ネットワークインタフェース１０５を介して、Ｎｅｔｗｏｒｋ（Ｅｔｈｅｒｎｅｔ（登録商標），ＴＣＰ／ＩＰ）に接続され、印刷ジョブを取得したり、情報処理装置に画像処理装置の状態を通知したりする処理を行う。
なお、コントローラ１０１は、操作部１０６の表示部に対して、後述する制御手順に従い選択される画像データに対して設定された製本処理形態でプレビュー処理を行う。以下、本実施形態におけるプレビュー処理を詳述する。
【００１０】
図２は、図１に示したコントローラ１０１のハードウエア構成を示す図である。
図２において、コントローラ１０１の内部では、ＣＰＵ２０１がバス２０９を介して、メモリ２０２，操作部１０６を構成する液晶ディスプレイ２０３及びキーボード２０４，ＲＯＭ２１０，ＤＩＳＫ２１１が接続されている。
各種プログラム及びデータは、ハードディスクやフロッピー（登録商標）ディスク等のＤＩＳＫ２１１（記憶媒体）に記憶されており、必要に応じて順次メモリ２０２に読み出されてＣＰＵ２０１で実行される。
このＤＩＳＫ２１１は、ＭＦＰに着脱可能でもＭＦＰに内蔵されたものでも良い。更に、プログラムは、ネットワークを介して他のＭＦＰからダウンロードされてＤＩＳＫ２１１に記憶される構成でも良い。
また、メモリ２０２にはＤＲＡＭのような不揮発メモリ、ＳＲＡＭのような揮発メモリの種類があるが、メモリ２０２は双方の機能を備えていても良い。また、揮発メモリの機能をメモリ２０２が受け持ち、不揮発メモリの機能をＤＩＳＫ２１１が受け持つような構成でもよい。
【００１１】
また、メモリ２０２は、取り外し可能なメモリメディアでも良い。液晶ディスプレイ２０３、キーボード２０４は、図１に示す操作部１０６を構成するものであり、ＣＰＵ２０１が液晶ディスプレイ２０３にデータを書き込むことにより表示を行う。また、ＣＰＵ２０１はキーボード２０４もしくはタッチパネルになっている液晶ディスプレイ２０３からデータを読み出すことにより、ユーザからの指示を受け付ける。
【００１２】
なお、操作部１０６から入力された情報はメモリ２０２、ＤＩＳＫ２１１、ＣＰＵ２０１のいずれかに転送、蓄積され、様々な処理に使用される。
また、バス２０９には、ネットワークインタフェース２０５が接続されており、図示しない情報処理装置と通信可能に構成されている。ＣＰＵ２０１は、ネットワークインタフェース２０５を介して、情報処理装置と通信を行う。
更に、バス２０９には、プリンタ２０６，フィニッシャ２０７，スキャナ２０８，が接続されている。これらは、図１に示すプリンタエンジン１０３，フィニッシャ１０４，スキャナ１０２に対応するものである。
ＣＰＵ２０１は、これらのエンジンに対してデータの読み書きを行うことによりプリント・スキャンなどのエンジン動作および各種ステータス取得を行う。
【００１３】
画像データはスキャナ１０２もしくはネットワークインタフェース１０５からコントローラ１０１内のＤＩＳＫ２１１、メモリ２０２に保存することが可能である。
また、取り外し可能なメモリ２０２に予め画像データを蓄積しておき、そのメモリをコントローラ１０１に取り付けることによって取り込むことも可能である。
【００１４】
ＤＩＳＫ２１１に蓄積されている画像データはメモリ２０２に移動もしくはコピーすることが可能になっており、操作部１０６から指示された内容によってメモリ２０２上の画像データに様々な付加画像（例えばページ印字の数字部分）を合成することができる。
なお、プリンタ２０６，フィニッシャ２０７，スキャナ２０８は、ＭＦＰの内部ではなく、ネットワーク上にそれぞれ単体の周辺機器として存在し、それをＭＦＰのコントローラ１０１が制御しても良い。
【００１５】
図３は、本実施形態を示す画像処理装置の外観を示す斜視図である。
図３において、画像入力デバイスであるスキャナ部３０１は、原稿となる紙上の画像を照明し、ＣＣＤラインセンサを走査することで、スキャナに置かれた原稿から電気的な画像データに変換する。
画像出力デバイスであるプリンタ部３０２は、画像データを用紙上の画像に変換する部分であり、用紙に印刷した後に、フィニッシャ２０７でステイプルや製本などの折処理を行い出力する。プリント動作の起動や停止は、ＣＰＵ２０１からの指示によって行う。
【００１６】
図４は、図３に示した操作部３０３の構成を示す平面図である。
図４において、液晶表示部４０１は、液晶上にタッチパネルシートが貼られており、システムの操作画面およびソフトキーを表示するとともに、表示してあるキーが押されるとその位置情報をＣＰＵ２０１に伝える。
スタートキー４０２は原稿画像の読み取り動作を開始する時などに用いる。スタートキー４０２中央部には、緑と赤の２色ＬＥＤ４０３があり、その色によってスタートキー４０２が使える状態にあるかどうかを示す。ストップキー４０４は稼働中の動作を止める働きをする。
テンキー４０５は、数字と文字のボタン群で構成されており、コピー部数の設定や、液晶表示部４０１の画面切り替えを指示する。ユーザーモードキー４０６は機器設定を行う時に押下する。
【００１７】
図５は、図４に示した液晶表示部４０１に表示される操作画面を示す図である。なお、後処理の詳細情報については、図８で後述する。
なお、本実施形態において、操作画面は三つの部位に分かれており、印刷データ選択設定画面５０１では、ＤＩＳＫ２１１に記憶されているいずれかの画像データを選択してどのような印刷を行うかについての設定をユーザから受け付ける。
詳細プレビュー画面５０２は、画像処理装置によってフィニッシング処理を施された出力イメージを表示する。この画面に表示される画像データはタッチパネル上を指でドラッグすることにより、画像のページを＋方向または−方向にめくることが可能である。
画像データ表示画面５０３には、メモリ２０２内に記憶された個々の原画像データと、印刷データ選択設定画面５０１で設定された内容を付加した画像データが一覧画面として表示される。また、画像データ表示画面５０３には、設定された内容により用紙に出力される原画像の出力領域と、個々の画像が用紙のどの部分に印刷されるかを示す用紙レイアウト画像が一覧画面として表示される。なお、ＣＰＵは、後述する表示制御を実行して液晶ディスプレイ２０３に画像データ表示画面５０３を表示する。
【００１８】
図６は、図５に示した印刷データ選択設定画面５０１の詳細画面の一例を示す図である。本画面は、画像処理装置内に保存されている画像データを選択させる画面であり、図６の（ａ）に示すような画面が表示される。この画面の中にはボタン群６０１が配置されており、このボタンを押下することによりＤＩＳＫ２１１に保存されている画像データを選択することができる。
【００１９】
ボタン群６０１のいずれかのボタンを押下するとコントローラ１０１は選択した画像データをＤＩＳＫ２１１からメモリ２０２にコピーし編集用の出力画像データを生成する。その後、図６の（ｂ）に示す印刷設定画面がＣＰＵ２０１の制御で表示される。
図６の（ｂ）において、プリント開始ボタン６０２は印刷を開始するボタンである。キャンセルボタン６０３は、図６の（ａ）で選択した画像データに対する操作を中止するボタンであり、キャンセルボタン６０３を押下すると、図６の（ａ）に示す画面表示に戻る。
文書情報部６０４は、文章のサイズや印刷部数などを表示する部分である。応用モードボタン６０５は、詳細な印刷モードを設定するときに押下する。
ここで、応用モードボタン６０５を押下すると、液晶表示部４０１には、図６の（ｃ）に示す応用モード設定画面がＣＰＵ２０１の制御で表示される。
図６の（ｃ）に示す応用モード設定画面にはボタン群６０７が配置されており、詳細な印刷の設定を行う場合にいずれかのボタンを押下する。
本画面において、ユーザは製本やとじ代などのフィニッシャ２０７に対する設定が可能である。ここで、ユーザが製本やとじ代などのフィニッシャ２０７に対する設定を行うと、出力用の画像データに対して画像の合成処理を行い、出力用画像データが更新表示される。
そして、応用モードの設定が終了して、閉じるボタン６０８がユーザにより押下されると、画面表示がＣＰＵ２０１の制御により図６の（ｂ）の印刷設定画面表示に戻る。
【００２０】
図７は、図５に示した詳細プレビュー画面５０２の動作を説明するための図である。本例は、図６の（ａ）で画像が８枚入っている画像データを選択し、図６の（ｃ）で右開きの中綴じ製本の設定を行ったときの例である。なお、画面は図６（ｃ）で示した画面で設定を行うと変化する。
製本の設定後に詳細プレビュー画面５０２には図７の（ａ）に示すように、表紙に対応する画像が表示されている状態になる。
タッチパネルからユーザが部分７０１を指で矢印の方向にドラッグする動作（ジェスチャー動作）を行うと、ＣＰＵ２０１は、図７の（ｂ）、図７の（ｃ）のようにページをめくるような表示動作を行う。
図７の（ｃ）の状態では、２ページ目にあたる画像と、３ページあたる画像が見開きになって表示されている。この例では、右開きの製本が設定されているため部分７０２を指でドラッグしても変化は現れないようになっている。
これは右開き製本を用紙に出力した場合、部分７０２の位置からページをめくることができないためであり、その動きをプレビューでも再現するようにしている。
本実施形態では、ユーザが上記操作に従い、ＣＰＵ２０１がプレビュー動作を行うので、ユーザは液晶表示部４０１の表示を監視することで、成果物の綴じ位置が正しいか否かを確認することが可能となる。なお、プレビュー処理の詳細な動作は後述する。
【００２１】
図８は、図５に示した画像データ表示画面５０３の詳細を示す図である。
図８において、原稿画像表示部８０１は、選択された画像データに対応する画像をページ毎に順番に表示する部分である。原画像出力領域表示部８０２は、図６の（ｃ）で設定された設定値によって画像データのどの領域が用紙に印刷されるかを示す。
なお、原画像出力領域表示部８０２では、設定された値によっては画像データには存在しない白画像等を機器内で生成する場合もこの画面に白紙画像として表示される。
設定内容付加画像表示部８０３は、ページ印字や移動などの処理を画像データに加えた画像を出力結果として表示する。なお、出力結果とは、応用モードで設定可能な後処理に関わる設定を反映させた出力結果である。ここで、後処理は、図１１に示す応用モードの情報（後処理設定値）としてＤＩＳＫ２１１に記憶される。なお、設定値は、後処理を特定する内容を設定値１とし、その詳細な内容、数値等を設定値２としてＤＩＳＫ２１１に記憶して管理される。また、各設定値は、ユーザからの操作に従い更新される。したがって、ＣＰＵ２０１は、設定値が更新されることに連携して、後述するフローチャートの手順に従って、液晶ディスプレイ２０３に表示している一覧画面（図８、図１５、図１６）の表示内容を更新する制御を行う。
設定内容確認部８０４は、個々の画像に対して図６の（ｃ）で設定された内容が適用されるか否かを表示する。用紙レイアウト表示部８０５は、出力する用紙上にどのように画像データの個々のページがどのようにレイアウトされるかをレイアウト番号で確認することができる。
【００２２】
図９は、本実施形態を示す画像処理装置のデータ処理例を説明するフローチャートである。本例に示すＳ９０１〜Ｓ９０６は、ＣＰＵ２０１がＲＯＭ２１０やＤＩＳＫ２１１に記憶される制御プログラムをメモリ２０２にロードして実行することで実現する。
Ｓ９０１において、操作部１０６に表示されている印刷データ選択設定画面５０１から印刷する画像データの選択を受け付けたＣＰＵ２０１はＤＩＳＫ２１１に格納されている画像データを選択する。この例では図１０に示す６枚の画像データが選択されたものとする。
【００２３】
Ｓ９０２において、ＣＰＵ２０１は図６の（ｂ）に示した画面を表示し、ＣＰＵ２０１がユーザから印刷を開始させる指示又は印刷の設定を変更する指示を受け付けるための画面を液晶ディスプレイ２０３に表示する。このときに詳細プレビュー画面５０２と画像データ表示画面５０３を表示する。
Ｓ９０３において、ＣＰＵ２０１は、図６の（ｂ）に示した画面からユーザが選択した画像データで印刷を開始するか、印刷の方法を変更するか、キャンセルさせるかのいずれが要求されているかを判断する。
ここで、ユーザがプリント開始ボタン６０２を押下して印刷開始指示を受け付けたとＣＰＵ２０１が判断した場合は、Ｓ９０６で、ＣＰＵ２０１は選択した画像データの印刷処理を行い、本処理を終了する。
一方、Ｓ９０３で、キャンセルボタン６０３の押下によりキャンセルを受け付けたとＣＰＵ２０１が判断した場合は、操作部１０６の画面を図６の（ａ）に戻して、本処理を終了する。
【００２４】
一方、Ｓ９０３で、応用モードボタン６０５の押下により設定変更を受け付けたとＣＰＵ２０１が判断した場合は、操作部１０６の液晶ディスプレイ２０３に図６の（ｃ）に示した画面を表示し、ＣＰＵ２０１は設定変更するための指示を受け付ける。
ここで、各種の印刷処理に関わる設定変更を受け付けたＣＰＵ２０１は、詳細プレビュー画面５０２と画像データ表示画面５０３の表示状態を更新する。
なお、ＣＰＵ２０１は、ユーザが印刷設定の変更を行う毎に操作部１０６の液晶ディスプレイ２０３に常に設定された値が反映されたプレビュー画像を表示するための表示制御を行う。
また、ＤＩＳＫ２１１には図１１に示すようなデータ構造の設定データが記憶され、ユーザから設定変更指示を受け付けるたびに、設定データの内容を随時更新する。
ここで、設定データとは、本実施形態において、画像処理装置が実行可能な後処理であって、応用モードで設定可能な種々の後処理に対応づけた各設定データを意味する。したがって、応用モードがとじ代であれば、設定値としてＸＸmm等のように数値データの場合と、応用モードが移動であれば、設定値として右開き等の開き方向の情報が設定されることとなる。
なお、図１１に示す例では、各後処理を行うか否かを決定する設定の可否を設定値１として記憶し、その後処理に対応した数値、または内容を設定値２として記憶する例を示す。
次に、Ｓ９０５で、設定変更が終了したか否かをＣＰＵ２０１が判断し、終了していないとＣＰＵ２０１が判断した場合は、Ｓ９０４で次の設定変更を受付ける。一方、終了したとＣＰＵ２０１が判断した場合は、Ｓ９０３に戻る。なお、ＣＰＵ２０１は、Ｓ９０４で受け付けた後処理設定値に従って、例えば図１５、図１６に示した一覧表示中の各頁の出力結果と、対応する各頁の詳細情報とを更新する表示制御を実行する。つまり、ユーザの設定変更に連携して、一覧表示中の各頁の出力結果と、対応する各頁の詳細情報とが随時更新されるので、どのように出力結果が変更されたか、およびその詳細情報を同一画面上で確認できる。
【００２５】
図１２は、本実施形態を示す画像処理装置のデータ処理例を説明するフローチャートである。本例は、詳細プレビュー画面５０２の表示処理の詳細手順に対応する。なお、Ｓ１１０１〜Ｓ１１０８は、ＣＰＵ２０１がＲＯＭ２１０やＤＩＳＫ２１１に記憶される制御プログラムをメモリ２０２にロードして実行することで実現する。
まず、Ｓ１１０１で、図９で示したＳ９０２の処理が行われるときに操作部１０６からＣＰＵ２０１に通知が行われると、詳細プレビュー画面５０２を液晶ディスプレイ２０３に表示する。
ここで、ＣＰＵ２０１は、ＤＩＳＫ２１１から出力物の先頭にあたる画像データを図１３に示すように表示する。
【００２６】
図１３は、図１に示した操作部１０６に表示される初期画面の一例を示す図である。
本実施形態では、図１３に示すように、画面では２箇所のドラッグポイントがある。
ここで、ドラッグとは画面を指等で触れたまま移動させる動作を差す。ドラッグポイントとはドラッグ動作を検知するために指などの移動を開始させる始点を差す。
本画面はドラッグポイントＤＰＡ、ＤＰＢからの入力待ち状態になり、ユーザが画面を操作して、入力がなされたことをＣＰＵ２０１が検出したら、Ｓ１１０２で、その入力がドラッグポイントＤＰＡの周辺から入力されたものであるかどうかを判断する。
そして、ドラッグポイントＤＰＡ周辺が押下されているとＣＰＵ２０１が判断した場合、Ｓ１１０３で、ＣＰＵ２０１は綴じ関連の設定が行われているか図２に示したＤＩＳＫ２１１内にある図１１に示した設定データの中を検索する。ここで、綴じ関連とは製本、ステイプルなど出力するよう紙をある点もしくは辺で束ねる処理が含まれる。
【００２７】
ここで、綴じ関連の設定がないとＣＰＵ２０１が判断した場合は、Ｓ１１０５で、次ページのための描画処理を行う。
一方、綴じ関連の設定が確認されたとＣＰＵ２０１が判断した場合は、Ｓ１１０４で、どの部分に綴じが行われるか図１に示したＤＩＳＫ２１１内にある図１１に示した設定データ中を検索して判断する。
ここで、綴じ関連には、設定値１としてｏｎ，ｏｆｆの情報のほかに、設定値２として製本では右開き、左開き、ステイプルでは右上、左上などの綴じる位置に関する情報が付随する。
例えば出力用紙の右側に対して綴じが行われる情報があるとＣＰＵ２０１が判断した場合は、ドラッグの処理を受け付けず、Ｓ１１０２に処理を戻す。また、出力用紙の右側以外の綴じが指定されていたとＣＰＵ２０１が判断した場合は、ユーザによるドラッグ指示を受け付け、Ｓ１１０５で次ページの描画処理を行う。
【００２８】
一方、Ｓ１１０２で、ユーザによる指示箇所がドラッグポイントＤＰＡの周辺ではないとＣＰＵ２０１が判断した場合は、Ｓ１１０６で、ユーザがドラッグポイントＤＰＢの周辺を押下しているかどうかを判断する。
ここで、ユーザが指示している箇所がドラッグポイントＤＰＢの周辺でないとＣＰＵ２０１が判断した場合は、Ｓ１１０２に戻り、ユーザからの指示入力待ちとなる。
一方、Ｓ１１０６で、ドラッグポイントＤＰＢの周辺が押下されていると判断した場合、Ｓ１１０７で、コントローラ１０１は綴じ関連の設定が行われているか図１に示したＤＩＳＫ２１１内にある図１１に示した設定データの中を検索して判断する。
ここで、綴じ関連の設定がないとＣＰＵ２０１が判断した場合は、Ｓ１１０５で次ページのための描画処理を行う。
【００２９】
一方、Ｓ１１０７で、綴じ関連の設定があるとＣＰＵ２０１が判断した場合は、Ｓ１１０８で、ＣＰＵ２０１は、どの部分に綴じが行われるか図１に示したＤＩＳＫ２１１内にある図１１に示す設定データの中を検索して判断する。
ここで、設定データ中に出力用紙の左側に対して綴じが行われる情報があるとＣＰＵ１が判断した場合は、ユーザからドラッグの処理を受け付けず、Ｓ１１０２に処理を戻す。
一方、Ｓ１１０８で、出力用紙の左側以外の綴じが指定されているとＣＰＵ２０１が判断した場合は、ＣＰＵ２０１は操作部１０６よりユーザによるドラッグ操作を受け付け、Ｓ１１０５で次ページの描画処理を行う。
【００３０】
このような動作を行わせることで、ユーザが図１０に示したデータを選択し、右開きの製本処理を設定した場合、以下に説明する表示制御を実行する。
この場合、ユーザは、図７の（ａ）に示すような製本の表紙にあたる先頭の画像が表示され、ドラッグポイントＤＰＢにあたる部分７０１から右方向にドラッグを行う。
これにより、ＣＰＵ２０１は次のページを図７の（ｂ），図７の（ｃ）の順で液晶ディスプレイ２０３上に描画を行う。
このためドラッグポイントＤＰＡからのドラッグ操作が行われた場合、ＣＰＵ２０１はドラッグを無視するので、操作部上で右開きの製本であることをユーザが確認可能となる。
また、左開き製本の設定されていた場合は、ドラッグポイントＤＰＡからのドラッグのみを受け付けることになりドラッグポイントＤＰＡにあたる部分７０２から左方向にドラッグを行う。これにより、ＣＰＵ２０１は図７の（ｄ），図７の（ｅ）の順で液晶ディスプレイ２０３上に次のページの描画を行う。ドラッグポイントＤＰＢからのドラッグが行われた場合、ＣＰＵ２０１はドラッグ操作を無視するので、ユーザは液晶ディスプレイ２０３上で左開きの製本であることを確認可能となる。
【００３１】
一方、ステイプル右上が設定されている場合は、ドラッグポイントＤＰＢからのドラッグ操作のみを受け付けることになり、ドラッグポイントＤＰＢにあたる部分７０１から右方向にドラッグを行わせると、ＣＰＵ２０１は図７の（ｆ）のような描画を行う。ドラッグポイントＤＰＡからのドラッグ操作が行われた場合、ＣＰＵ２０１はドラッグ操作を無視するので、操作部上で右上のステイプルであることをユーザが確認可能となる。
【００３２】
また、ＣＰＵ２０１は、ステイプル左上が設定されている場合は、ドラッグポイントＤＰＡからのドラッグのみを受け付けることになり、ドラッグポイントＤＰＡにあたる部分７０２から左方向にドラッグを行う。これにより、ＣＰＵ２０１は、液晶ディスプレイ２０３上に図７の（ｇ）のような描画を行う。ドラッグポイントＤＰＢからのドラッグ操作が行われた場合、ＣＰＵ２０１はドラッグ操作を無視するので、液晶ディスプレイ２０３上で左上のステイプルであることをユーザが確認可能となる。
【００３３】
なお、綴じ設定が行われていない場合は、ドラッグポイントＤＰＡ、ＤＰＢの双方からの操作が可能となる。したがって、ＣＰＵ２０１は、ドラッグポイントＤＰＢから右方向にドラッグした場合、図７の（ｈ）に示すような画像データを液晶ディスプレイ２０３上に表示する。
また、逆の操作を行った場合、図７の（ｉ）に示すような画像を表示する。この場合、綴じ設定がないのでどちらからでも操作が可能になり、綴じ設定が行われていないことをユーザが確認可能となる。
このような動作を行うことで、ユーザは、フィニッシング処理が意図した場所に適用されているかを印刷する前に、液晶ディスプレイ２０３の表示状態から視覚的に確実に確認することができる。
【００３４】
図１４は、本実施形態を示す画像処理装置のデータ処理例を説明するフローチャートである。本例は、画像データ表示画面５０３の表示処理の詳細手順に対応する。なお、Ｓ１４０１〜Ｓ１４０３は、ＣＰＵ２０１がＲＯＭ２１０やＤＩＳＫ２１１に記憶される制御プログラムをメモリ２０２にロードして実行することで実現する。
Ｓ１４０１で、図９に示したＳ９０２の処理が行われるときに操作部１０６からＣＰＵ２０１に通知が行われ画像データ表示画面５０３の描画更新を行う。
ここで、表示する内容は画像データの先頭から表示される、この時点では設定は行われていないので、原稿画像表示部８０１、原画像出力領域表示部８０２、設定内容付加画像表示部８０３は同じ画像データがプレビュー表示される（図１５の（ａ）参照）。
【００３５】
次に、Ｓ１４０２で、ＣＰＵ２０１は、Ｓ１４０１の画面表示後、図６の（ｃ）に示した応用モードの操作により、フィニッシャ２０７に関わる設定が行われたかを判断する。具体的には、ＣＰＵ２０１が図１に示したＤＩＳＫ２１１内に記憶される図１１に示した設定データの中で設定した値が変化しているか否かによって判断する。
ここで、図１１に示したいずれかの設定データの値が変更されているとＣＰＵ２０１が判断した場合、画像データ表示画面５０３を描画更新するためにＳ１４０１に戻る。
【００３６】
一方、Ｓ１４０２で、図１１に示したデータ構造の中の設定値が変更されていないとＣＰＵ２０１が判断した場合はＳ１４０３で、閉じるボタン６０８が押下されたか（設定は終了かどうか）を判断する。
ここで、閉じるボタン６０８が押下されていないとＣＰＵ２０１が判断した場合は、再びＳ１４０２に戻る。
一方、Ｓ１４０３で、押下されているとＣＰＵ２０１が判断した場合は、本処理を終了する。
具体的な動作例として、図６の（ｃ）の画面において、ユーザが右開き製本、表紙（表紙のオモテだけ印刷する）、裏表紙（裏表紙の裏だけ印刷する）、ページ印字、部数印字、右とじ代の設定が行った場合、液晶ディスプレイ２０３の描画状態を更新する。これにより、液晶ディスプレイ２０３の表示状態は図１５の（ｂ）に示すように更新される。なお、原稿画像表示部８０１は画像データを表示するため描画状態は変化しない。
【００３７】
また、原画像出力領域表示部８０２は複数の設定が行われているため変化が現れる。
具体的には、とじ代が設定されているため、ＣＰＵ２０１は図１５の（ｂ）に示すように画像データから用紙に出力される部分を認識できるように出力領域を枠１５０１で囲む描画を行う。
とじ代は画像を移動させてとじ代のための余白部分を用紙上に形成する機能のため、画像データの移動によって画像データの一部が用紙に印刷されない場合がある。このため、印刷を行わなくてもページ毎の出力領域を操作部１０６上で、入力した画像データから印刷時に欠落する部分を液晶ディスプレイ２０３で確認することができる。
【００３８】
また、ＣＰＵ２０１は、枠が表示時に画像データを欠損するような場合は、赤枠、欠損しない場合は黒枠で囲むことにより画像欠損の警告表示を行うことが可能となる。
また、表紙がオモテだけ印刷するという設定が行われているため、表紙の裏面にはなにも印刷されていないページを出力する必要がある。このような状態を表現するために、ＣＰＵ２０１は、白紙画像１５０２として液晶ディスプレイ２０３上に表示する。これにより、ユーザは、操作部１０６で原画像以外の画像が出力物に含まれるのかを液晶ディスプレイ２０３２の表示状態から視覚的に確認することができる。
【００３９】
また、設定内容付加画像表示部８０３には複数の設定が行われているため変化が現れる。  図１５の（ｂ）に示す例では、ページ印字、部数印字、とじ代処理が適用された出力イメージ画像１５０３を描画している。このため、設定内容付加画像表示部８０３では全てが同じような画像データとはならない。
例として表紙として使用されることになる画像データ１５０４ではページ印字の処理は行われない。これは、ページ印字は表紙に対しては行われないというルールが適用されるためである。
【００４０】
また、図１５において、設定内容確認部８０４では設定された応用モードの設定が画像データに対して適用されているかをページ毎に表示する。図１５の（ｂ）に示す例では、ＣＰＵ２０１は、表紙にページ印字は適用されないのでページ印字箇所１５０５に「非適用」を表示する。また、白紙ページに対しては、とじ代、部数印字、ページ印字は適用されないので、ページ印字箇所１５０５に「非適用」を表示する。
【００４１】
また、用紙レイアウト表示部８０５は製本処理となるため、Ａ３用紙の両面にＡ４の画像が４枚レイアウトされている状態の表示を行う。
図１７は、本実施形態を示す画像処理装置のデータ処理例を説明するフローチャートである。本例は、詳細プレビュー画面５０２をドラッグしたときに表示する画像データ表示画面５０３の表示処理の詳細手順に対応する。なお、Ｓ１６０１〜Ｓ１６０４は、ＣＰＵ２０１がＲＯＭ２１０やＤＩＳＫ２１１に記憶される制御プログラムをメモリ２０２にロードして実行することで実現する。
【００４２】
まず、Ｓ１６０１で、まず、ＣＰＵ２０１は、詳細プレビュー画面５０２に表紙を表示する。Ｓ１６０２で、詳細プレビューに表示されている画面に相当する画像データ表示画面５０３上の画像データを強調する。
図１５の（ｂ）はその状態を示しており、ユーザは液晶ディスプレイ２０３で実際には赤枠で強調した状態で画像データが表示されるため、当該画像データが表紙の画像データであることを視覚的に確認することが可能となる。
そして、Ｓ１６０３で、ＣＰＵ２０１は、詳細プレビュー画面５０２に表示されているプレビューに対してドラッグ操作が行われたかを判断する。ここで、ドラッグが行われているとＣＰＵ２０１が判断した場合は、Ｓ１６０４でドラッグされている画像に相当する画像データ表示画面５０３上の画像データを強調する。
【００４３】
図１６の（ａ）は、図７の（ｂ）に示すドラッグ状態の画面を示しており、赤枠で強調した画像データが１ページ目、２ページ目、３ページ目を示している。
図１６の（ｂ）は、図７の（ｃ）に示すドラッグが終了した画面を示しており、赤枠で強調した画像データが２ページ目、３ページ目を示している。
このようにドラッグ処理とプレビュー処理を連携させることにより、液晶ディスプレイ２０３上でつまんでいるページが出力用紙物の何ページ目に該当し、どのような画像処理が実行されるかを視覚的、かつ明確に認識できるようになる。
以上説明したように、本発明によれば、印刷したい画像データを選択するだけで、詳細プレビュー画面５０２が表示され、プレビュー画面の画像をドラッグすることでフィニッシング設定が適切に適用されるかを確認することが可能となる。
また、詳細プレビュー画面５０２のページめくりに連動して、設定した応用モードの処理が行われた画像を画像データ表示画面５０３上で確認することができる。これにより、任意のページの画像データに関して、原画像出力領域表示部８０２と設定内容付加画像表示部８０３の画像と出力状態を原稿画像表示部８０１の原稿画像と比較して画像欠損の有無を用紙に確認することが可能となる。
【００４４】
また、ユーザは詳細プレビュー画面５０２の設定内容確認部８０４の情報を確認することにより、設定内容付加画像表示部８０３の画像に設定した応用モードの内容がどのように反映されるかを簡単に把握できるようになる。
さらに、ユーザは用紙レイアウト表示部８０５を確認することにより、詳細プレビュー画面５０２でドラッグしているページが用紙のどの部分に反映されるか、どのような用紙タイプに印刷されるのかを把握できる。これにより、ユーザは一度も試し印刷をすることなく出力結果を確認できるようになり、ユーザの操作負担を低減し、結果として印刷無駄を抑えて環境負荷を軽減できる。
【００４５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００４６】
本発明は上記実施形態に限定されるものではなく、本発明の趣旨に基づき種々の変形（各実施形態の有機的な組合せを含む）が可能であり、それらを本発明の範囲から除外するものではない。
本発明の様々な例と実施形態を示して説明したが、当業者であれば、本発明の趣旨と範囲は、本明細書内の特定の説明に限定されるのではない。
【符号の説明】
【００４７】
５０１  印刷データ選択設定画
５０２  詳細プレビュー画面
５０３  画像データ表示画面
８０１  原画像表示部
８０２  原画像出力領域表示部
８０３  設定内容付加画像表示部
８０４  設定内容確認部
８０５  用紙レイアウト表示部
【図１】
2012015846.tif 000003
【図２】
2012015846.tif 000004
【図３】
2012015846.tif 000005
【図４】
2012015846.tif 000006
【図５】
2012015846.tif 000007
【図６】
2012015846.tif 000008
【図７】
2012015846.tif 000009
【図８】
2012015846.tif 000010
【図９】
2012015846.tif 000011
【図１０】
2012015846.tif 000012
【図１１】
2012015846.tif 000013
【図１２】
2012015846.tif 000014
【図１３】
2012015846.tif 000015
【図１４】
2012015846.tif 000016
【図１５】
2012015846.tif 000017
【図１６】
2012015846.tif 000018
【図１７】
2012015846.tif 000019